(57)【要約】【課題】飲酒後にカラオケを楽しみながら、自分の酩酊度を客観的に知ることができるアルコール検出機能付きカラオケ装置を提供する。【解決手段】指定楽曲を選定することにより、伴奏音楽と歌詞画像とを同期して、それぞれスピーカー８と画像モニター６に出力するように構成したカラオケ装置において、マイクロホン９に歌唱者の呼気中のアルコール濃度を検出するアルコールセンサー１２を併設するとともに、アルコール濃度のレベルを判断し、上記画像モニター６にその濃度レベルと、その濃度レベルに対応したメッセージを出力する濃度レベル出力手段１３を備える。【選択図】　図１
2004102201.tif 000002
【特許請求の範囲】
【請求項１】
指定楽曲を選定することにより、伴奏音楽と歌詞画像とを同期して、それぞれスピーカー（８）と画像モニター（６）に出力するように構成したカラオケ装置において、
マイクロホン（９）に歌唱者の呼気中のアルコール濃度を検出するアルコールセンサー（１２）を併設するとともに、アルコール濃度のレベルを判断し、上記画像モニター（６）にその濃度レベルと、その濃度レベルに対応したメッセージを出力する濃度レベル出力手段（１３）を備える、ことを特徴とするアルコール検出機能付きカラオケ装置。
【請求項２】
請求項１に記載したアルコール検出機能付きカラオケ装置において、
上記濃度レベル出力手段（１３）は、歌唱者が、ビジネスマン、男女カップル、其の他のグループ等のいずれに属するかに応じて選択するバージョン選択手段（２０）を備え、上記選択したバージョンと検知したアルコールの濃度レベルに対応したメッセージを自動的に選択して画像モニター（６）に出力するように構成した、ことを特徴とするアルコール検出機能付きカラオケ装置。
【請求項３】
請求項２に記載したアルコール検出機能付きカラオケ装置において、
上記濃度レベル出力手段（１３）は、カラオケ装置のスピーカー（８）をも介して上記メッセージを出力するように構成した、ことを特徴とするアルコール検出機能付きカラオケ装置。
【発明の詳細な説明】
【０００１】
【発明の属する技術分野】
本発明は、アルコール検出機能付きカラオケ装置に関する。
【０００２】
【従来の技術】
飲酒して自動車を運転することは極めて危険であり、道路交通法上も禁じられている。そこで運転者の酩酊度を客観的に知ることができるアルコール検出装置については、例えば特許文献１に開示されている。また、歌唱力得点機能を備えるカラオケ装置については、例えば特許文献２に開示されている。
【０００３】
【特許文献１】
特開平８−１４５９２８号公報（段落番号「００１７」「００１８」及び図２）
【特許文献２】
特開２０００−０５６７７８号公報（段落番号「０００９」〜「００１２」及び図１）
【０００４】
特許文献１には、呼気中のアルコール濃度を検出するセンサーと、このアルコールセンサーによって検出されたアルコールの濃度レベルを表示する表示手段と、上記表示手段への濃度表示制御を行う制御手段とを備えるアルコール検出装置（以下、「従来例１」という）が開示されている。
【０００５】
また、特許文献２には、指定楽曲を選定することにより、伴奏音楽と歌詞画像とを同期して、それぞれスピーカーと画像モニターに出力し、所定の採点基準データに基づいて歌唱者の累積得点を画像モニターに表示するように構成したカラオケ装置（以下、「従来例２」という）が開示されている。
【０００６】
【発明が解決しようとする課題】
上記従来例１によれば、運転者の酩酊度を客観的に知ることができるが、運転者が自動車にアルコール検出装置を常設するのは、高価であり現実的でない。
他方、自動車の普及により、郊外に駐車場付き飲食店やカラオケ店が増えているが、飲酒後にカラオケを楽しみながら酔い覚ましの時間を費やす場合が多い。しかしながら、カラオケ装置では自分の酩酊度を客観的に知ることができない。
【０００７】
本発明はこのような事情に鑑みてなされたもので、その目的は、飲酒後にカラオケを楽しみながら、自分の酩酊度を客観的に知ることができるアルコール検出機能付きカラオケ装置を提供することにある。
【０００８】
【課題を解決するための手段】
上記課題を解決するために、本発明は以下のように構成される。
即ち、請求項１に記載の発明は、例えば図１に示すように、指定楽曲を選定することにより、伴奏音楽と歌詞画像とを同期して、それぞれスピーカー８と画像モニター６に出力するように構成したカラオケ装置において、マイクロホン９に歌唱者の呼気中のアルコール濃度を検出するアルコールセンサー１２を併設するとともに、アルコール濃度のレベルを判断し、上記画像モニター６にその濃度レベルと、その濃度レベルに対応したメッセージを出力する濃度レベル出力手段１３を備えることを特徴とする。
【０００９】
請求項２に記載の発明は、請求項１に記載したアルコール検出機能付きカラオケ装置において、例えば図２に示すように、前記濃度レベル出力手段１３は、歌唱者が、ビジネスマン、男女カップル、其の他のグループ等のいずれに属するかに対応して選択するバージョン選択手段２０を備え、上記選択したバージョンと検知したアルコールの濃度レベルに対応したメッセージを前記画像モニター６に出力するように構成したことを特徴とする。
【００１０】
請求項３に記載の発明は、請求項２に記載したアルコール検出機能付きカラオケ装置において、上記濃度レベル出力手段１３は、前記スピーカー８をも介して上記メッセージを出力するように構成したことを特徴とする。
【００１１】
【発明の作用】
請求項１に記載の発明では、歌唱者がカラオケ装置のマイクロホン９に呼気を吹き付けると、マイクロホン９に併設されたアルコールセンサー１２が呼気中のアルコール濃度を検出する。すると濃度レベル出力手段１３は、アルコール濃度のレベルを判断し、カラオケ装置の画像モニター６にその濃度レベルと、その濃度レベルに対応したメッセージを出力する。これにより、歌唱者はカラオケを楽しみながら、自分の酩酊度を客観的に知ることができる。
【００１２】
請求項２に記載の発明では、濃度レベル出力手段１３が備えるバージョン選択手段２０により、歌唱者が、ビジネスマンか、男女カップルか、其の他のグループ等のいずれに属するかに対応してバージョンを選択する。すると上記選択したバージョンと検知したアルコールの濃度レベルに対応したメッセージが画像モニター６に出力される。これにより、歌唱者は選択したバージョンに対応したメッセージを画像で知ることにより、酔い覚ましの時間を費やしながら、ラオケを楽しむことができる。
【００１３】
請求項３に記載の発明では、上記濃度レベル出力手段１３は、カラオケ装置のスピーカー８をも介して上記メッセージを出力する。これにより、歌唱者は選択したバージョンに対応したメッセージを音声で知ることにより、カラオケを一層楽しむことができる。
【００１４】
【発明の実施の形態】
以下、本発明の実施形態を添付図面に基づいて説明する。
図１は本発明に係るアルコール検出機能付きカラオケ装置の概略構成図、図２はそのアルコール検出手段の概略ブロック図、図３は図２中のＲＯＭに記憶された制御プログラムのフローチャートである。
【００１５】
先ず、このアルコール検出機能付きカラオケ装置の概要について説明する。このカラオケ装置は、図１に示すように、コンピュータの本体である中央制御部１と、この中央制御部１とデータバス２及び制御バス３を介してそれぞれ連結された、ビデオＣＤプレーヤ４、画像制御部５及び画像モニター６、音声制御部７とこれに連結されたスピーカー８及びマイクロホン９、カラオケデーター収納部１０、カラオケ操作制御部１１、及び本発明に係るアルコールセンサー１２と濃度レベル出力手段１３を備え、指定楽曲を選定することにより、伴奏音楽と歌詞画像とを同期して、それぞれスピーカー８と画像モニター６に出力し、歌唱者の歌唱力に応じてその得点を表示するとともに、歌唱者の呼気に含まれているアルコール濃度を画像モニター６に表示するように構成されている。
【００１６】
上記中央制御部１は、内部にＣＰＵ、ＲＡＭ、ＲＯＭを含み、データバス２や制御バス３を介して各構成部４〜１１を統括制御する。即ち、この中央制御部１は、カラオケ操作制御部１１を介してリクエストデーターを受け取り演奏予約を登録する。そして順次カラオケデータ収納部１０から該当するカラオケデータを取り出し、音声制御部７を介して伴奏音楽と歌唱音声をスピーカ８に出力する。他方、歌詞はビデオプレーヤ４から出力される背景画像に合成され、伴奏音楽の生成と同期して画像モニター６に表示される。上記音声制御部は、図示しない歌唱力得点集計機能をも備え、その歌唱者の得点は画像モニター６に表示される。
【００１７】
以下、本発明に係るアルコール検出機能について説明する。
前記アルコールセンサー１２は、カラオケ装置のマイクロホン９に一体に組み込まれており、歌唱者の呼気中に含まれているアルコール成分を検出する。このセンサー１２は周知のもので、素子間に侵入したアルコール等のガスの電気抵抗が著しく変化する特性を利用してアルコール濃度を検出するように構成されている。なお、図２中のリセットタイマー１９のオン作動により、先に検出されたアルコール濃度がリセットされ、次のアルコール濃度の検出が可能になる。
【００１８】
前記アルコールの濃度レベル出力手段１３は、図２に示すように、アルコールセンサー１２からの出力信号をＡ／Ｄ変換する変換器１４と、各種情報を所定のプログラムに基づいて処理をする制御部１５と、検出したアルコールの濃度情報を記憶するＲＡＭ１６と、所定の処理プログラム（図３）を記憶するＲＯＭ１７と、アルコールの濃度レベルを判別するための判別基準メモリ１８と、センサー１２が再検出可能になる一定時間経過を計数してアルコール濃度をリセットするリセットタイマー１９と、歌唱者がビジネスマンか、男女のカップルか、その他のいずれのグループに属するかに対応して選択するバージョン選択手段２０と、アルコール濃度の検出結果を選択したバージョンに応じて前記画像モニター６とスピーカー８に出力する出力ドライバー２１とを備え、従来のカラオケ装置の各バス２・３に簡単に接続可能で、容易に組み込むことができる。以下、図３に基づいて本実施形態のアルコール濃度検出機能を説明する。
【００１９】
図３に示すように、ステップＳ１では、歌唱者がビジネスマンか、男女のカップルか、その他のいずれのグループに属するかに対応して、人手を介してバージョン選択手段２０を選択する。ステップＳ２では、予め登録されている順番に従ってカラオケがスタートする。即ち、伴奏音楽と歌詞画像とが同期して、それぞれスピーカー８と画像モニター６に出力される。
【００２０】
ステップＳ３では、カラオケの前奏曲の間に「大きく息を吸ってマイクロホン９（及びこれと一体のセンサー１２）に呼気を吹きかけて下さい」というような表示が画像モニター６に映し出され、次いでステップＳ４では、センサー１２によるアルコール濃度の検知が開始される。所定時間後にステップＳ４でセンサー１２によるアルコール濃度の検知が終了する。それらの濃度データは、平均数値化されて一旦ＲＡＭ１６に記憶される。なお、平均数値化するのは検出誤差を小さくするためである。
【００２１】
ステップＳ６では、上記濃度データが前記判別基準メモリ１８内に記憶されている基準データと比較され、例えば３つのランクに分別される。即ち、Ａランクはアルコールが殆ど検知されず車の運転に全く支障がない場合、Ｂランクはアルコールが少し検知された場合、Ｃランクはアルコールがかなり多く検知された場合を例示している。
【００２２】
カラオケ終了時に、歌唱力の得点とともに、ステップＳ７−１、Ｓ７−２、Ｓ７−３では、平均数値化されたアルコールの濃度データが各ランクに応じて前記画像モニター６に表示される。この場合、検出したアルコール濃度を棒グラフ状に表示させるようにしても良い。さらに、前記バージョンに応じて、アルコール濃度の各ランク付けに相当するメッセージが画像モニター６に表示されるとともに、スピーカー９から音声で出力される。ステップＳ８では、前記リセットタイマー１９が作動して、ＲＡＭ１６内のアルコール濃度をリセットし、次の歌唱者のアルコール濃度の検出に備える。
【００２３】
ちなみに、前記バージョンに応じて、アルコール濃度の各ランク付けに相当するメッセージを例示する。
［バージョン１］：一般向け
Ａランク：運転しても大丈夫ですが、気を付けてお帰り下さい。
Ｂランク：アルコールが検知されました。後ほどもう一度チェックして下さい。
Ｃランク：ひどく酔っています。車を置いてお帰りなさい。
［バージョン２］：ビジネスマン向け
Ａランク：今日も元気だお酒が美味い酔いも覚めたし帰ろうか。
Ｂランク：マイク離してお冷を一つ、しばし待つ間に酔い覚まし。
Ｃランク：ちょっと座って食事もとって今夜は深酒程ほどに。
［バージョン３］：団体客向け
Ａランク：酔いも覚めたし今夜の殿は唄も弾んで絶好調。
Ｂランク：もう少し唄って騒いで酔い覚ませ。
Ｃランク：マイク代わりにジョッキを持って歩く姿も千鳥足。
［バージョン４］：男女カップル向け
Ａランク：酔いも覚めたし今夜の二人、早く帰ってひとしごと。
Ｂランク：覚める前うそか本気かラブコール。
Ｃランク：とても綺麗だ今宵の貴女、心身融ける酔い心地。
【００２４】
【発明の効果】
請求項１に記載の発明では、マイクロホン８に併設されたアルコールセンサー１２で呼気中のアルコール濃度を検出し、濃度レベル出力手段１３でアルコール濃度のレベルを判断し、カラオケ装置の画像モニター６にその濃度レベルと、その濃度レベルに対応したメッセージを出力するので、歌唱者はカラオケを楽しみながら、自分の酩酊度を客観的に知ることができる。他方、カラオケ装置を有する店舗は、本発明をカラオケ装置に併設して顧客にそのサービスを提供することにより、飲酒運転を防止し、顧客に安心を提供することができる。
【００２５】
請求項２に記載の発明では、濃度レベル出力手段１３が備えるバージョン選択手段２０により、歌唱者が、ビジネスマンか、男女カップルか、その他のいずれのグループに属するかに対応してバージョンを選択し、上記選択したバージョンと検出したアルコールの濃度レベルに対応したメッセージが画像モニター６に出力されるので歌唱者は選択したバージョンに対応したメッセージを画像で知ることにより、酔い覚ましの時間をカラオケで多いに楽しむことができる。
【００２６】
請求項３に記載の発明では、上記濃度レベル出力手段１３は、カラオケ装置のスピーカー８をも介して上記メッセージを出力するので、歌唱者は選択したバージョンに対応したメッセージを音声で知ることにより、カラオケを一層楽しむことができる。
【００２７】
なお、上記の実施形態では、アルコール濃度を数値や棒グラフで表示したり、濃度ランクをＡ、Ｂ、Ｃの３ランクに判別した場合について例示したが、これには限らない。また、選択したバージョンに対応したメッセージの内容についても多種多様なものが考えられ、それを適宜取り込むことにより、カラオケ店の繁盛に寄与するものとなる。要するに本発明の要旨の範囲内において、種々の設計変更を施すことが可能である。
【図面の簡単な説明】
【図１】本発明に係るアルコール検出機能付きカラオケ装置の概略構成図である。
【図２】上記アルコール検出手段の概略ブロック図である。
【図３】図２中のＲＯＭに記憶された制御プログラムのフローチャートである。
【符号の説明】
１…中央制御部、２…データーバス、３…制御バス、４…ビデオＣＤプレーヤ、５…画像制御部、６…画像モニター、７…音声制御部、８…スピーカー、９…マイクロホン、１０…カラオケデータ収納部、１１…カラオケ操作制御部、１２…アルコールセンサー、１３…濃度レベル出力手段、１４…Ａ／Ｄ変換器、１５…制御部、１６…ＲＡＭ、１７…ＲＯＭ、１８…判別基準メモリ、１９…リセットタイマー、２０…バージョン選択手段、２１…出力ドライバー。
【図１】
2004102201.tif 000003
【図２】
2004102201.tif 000004
【図３】
2004102201.tif 000005